【事件の表示】
　平成　８年特許願第　８３４７８号「情報記録装置及び情報記録方法並びに情報再生装置及び情報再生方法」拒絶査定不服審判事件〔平成　９年１０月３１日出願公開、特開平　９−２８２８４８〕について、次のとおり審決する。
【結　論】
　本件審判の請求は、成り立たない。
【理　由】
第１　手続の経緯
　
　本願は、平成８年４月５日に出願したものであって、平成１７年４月１日付けの拒絶理由通知に対する応答期間内の同年６月６日付けで手続補正がなされたが、平成１７年６月３０日付けで拒絶査定がなされ、これに対し、平成１７年８月４日に拒絶査定不服審判が請求されるとともに、同年９月５日付けで手続補正がなされたものである。
　
第２　平成１７年９月５日付けの手続補正についての補正却下の決定
　
［補正却下の決定の結論］
　平成１７年９月５日付けの手続補正を却下する。
　
［理由］
１．本件補正
　平成１７年９月５日付け手続補正（以下「本件補正」という。）は、特許請求の範囲については、概略、請求項１，８，９，１６，１７，２２，２３，３０，３１，３８，３９４４（及びそれらの項を引用する請求項２〜７，１０〜１５，１８〜２１，２４〜２９，３２〜３７，４０〜４３）において、発明を特定する事項である「時刻管理情報」について、「当該時刻管理情報は、ハイライト対象とする前記副映像情報の表示開始時間以降であるハイライト開始時間と、ハイライト対象とする前記副映像情報の表示終了時間以前であるハイライト終了時間」との構成を限定するものであり、平成１８年改正前特許法第１７条の２第４項第２号の特許請求の範囲の減縮を目的とするものに該当する。
　
　本件補正により補正された特許請求の範囲において、その請求項８に記載された発明（以下「本願補正発明」という。）は、次のとおりである。
　
「【請求項８】　副映像情報を含む記録情報を処理する信号処理手段と、
　前記記録情報に対応する再生制御情報を含む付加情報を生成する付加情報生成手段と、
　前記記録情報及び前記付加情報を記録媒体に記録する記録手段と、を備え、
　前記記録情報は複数のデータグループに区分され、
　前記複数のデータグループの各々は前記再生制御情報を含み、
　前記再生制御情報は、前記副映像情報をハイライト表示するためのハイライト情報を含み、
　前記ハイライト情報は、前記ハイライト表示の有効期間を規定する時刻管理情報であって、９０ＫＨｚを単位として指定可能な時刻管理情報を含み、当該時刻管理情報は、ハイライト対象とする前記副映像情報の表示開始時間以降であるハイライト開始時間と、ハイライト対象とする当該副映像情報の表示終了時間以前であるハイライト終了時間と、を含むことを特徴とする情報記録装置。」
　
　そこで、本願補正発明が特許出願の際独立して特許を受けることができるものであるか（平成１８年改正前特許法第１７条の２第５項において準用する同法第１２６条第５項の規定に違反するか）否かについて、以下検討する。
　
２．先願発明
　
　原査定の拒絶の理由に引用された、本願の出願の日前の出願（優先権主張　平成７年４月１４日）であって、その出願後に出願公開された特願平８−８９５５４号（特開平８−３３９６６３号公報参照）の願書に最初に添付された明細書及び図面（以下「先願明細書等」という。）には、以下の記載がある。なお、下線は、当審で付与した。
　
（１）「【特許請求の範囲】
【請求項１】〜【請求項５】（省略）
【請求項６】　一部の領域に管理領域と、他の領域にデータ領域が形成され
記録媒体の、上記データ領域に、少なくとも１つの主映像データと、この主映像データと同一時間帯に再生可能な少なくとも１つの副映像データとを記録する記録装置
上記主映像データの種々の内容をそれぞれ確認したり、選択したりする際に用いる上記各内容に対応した少なくとも１つのメニュー情報の背景画像を主映像データとして供給する第１の供給手段と、
この主映像データと同一時間帯に再生可能で、かつ上記メニュー情報の選択項目または確定項目としての副映像データを供給する第２の供給手段と、
上記第１の供給手段により供給された
主映像データをエンコードする第１のエンコード手段
上記第２の供給手段により供給された
副映像データをエンコードする第２のエンコード手段
上記メニュー情報の選択項目または確定項目の制御内容を指示する指示手段と、
この指示手段により指示された選択項目または確定項目の
制御用データを生成する生成手段
上記第１のエンコード手段によりエンコードされた主映像データと上記第２のエンコード手段によりエンコードされた副映像データと上記生成手段により生成された制御データを上記記録媒体に記録する記録手段
を具備したことを特徴とする記録装置。
【請求項７】　上記選択項目の
制御用データが、選択項目が選択される前に使用される副映像データの色、コントラスト等の情報
【請求項８】（省略）
【請求項９】　上記データ領域が、主映像データとこの主映像データと同一時間帯に再生可能な副映像データが複数のプログラムチェーンに分かれて記録され、それぞれのプログラムチェーンが複数のプログラムからなり、１つのプログラムが複数のセルからなり、１つのセルが複数のパックからなる階層構造で記録され、
各パックが主映像データパック、副映像データパック、制御用データパックよりなり
上記メニュー情報が各プログラムチェーンに対応するタイトルメニュー、各プログラムに対応するプログラムメニュー、副映像データに対応する副映像データメニューであることを特徴とする請求項６に記載の記録装置。
【請求項１０】〜【請求項５３】（省略）」
　
（２）「【０００１】
【発明の属する技術分野】この発明は、
圧縮された動画データや音声データ等の目的や種類の違うデータを記録する光ディスク等の記録媒体、この記録媒体へデータを記録する記録装置
　
（３）「【００４０】ここで、図８を参照してビデオオブジェクトセット（ＶＯＢＳ）８２の構造について説明する。図８は、ビデオオブジェクトセット（ＶＯＢＳ）８２の一例を示している。このビデオオブジェクトセット（ＶＯＢＳ）８２には、２つのメニュー用及びタイトル用として３つのタイプのビデオオブジェクトセット（ＶＯＢＳ）７６がある。即ち、ビデオオブジェクトセット（ＶＯＢＳ）８２は、後に説明するようにビデオタイトルセット（ＶＴＳ）７２中にビデオタイトルセットのメニュー用ビデオオブジェクトセット（ＶＴＳＭ＿ＶＯＢＳ）９５及び少なくとも１つ以上のビデオタイトルセットのタイトルの為のビデオオブジェクトセット（ＶＴＳＴＴ＿ＶＯＢＳ）９６があり、いずれのビデオオブジェクトセット８２もその用途が異なるのみで同様の構造を有している。
【００４１】図８に示すようにビデオオブジェクトセット（ＶＯＢＳ）８２は、１個以上のビデオオブジェクト（ＶＯＢ）８３の集合として定義され、ビデオオブジェクトセット（ＶＯＢＳ）８２中のビデオオブジェクト８３は、同一の用途の供される。通常、メニュー用のビデオオブジェクトセット（ＶＯＢＳ）８２は、１つのビデオオブジェクト（ＶＯＢ）８３で構成され、複数のメニュー用の画面を表示するデータが格納される。これに対してタイトルセット用のビデオオブジェクトセット（ＶＴＳＴＴ＿ＶＯＢＳ）８２は、通常、複数のビデオオブジェクト（ＶＯＢ）で構成される。
【００４２】（省略）
【００４３】ビデオオブジェクト（ＶＯＢ）８３には、識別番号（ＩＤＮ＃ｊ）が付され、この識別番号によってそのビデオオブジェクト（ＶＯＢ）８３を特定することができる。
ビデオオブジェクト（ＶＯＢ）８３は、１又は複数のセル８４から構成される。通常のビデオストリームは、複数のセルから構成されることとなるが、メニュー用のビデオストリーム、即ち、ビデオオブジェクト（ＶＯＢ）８３は、１つのセル８４から構成される場合もある
【００４４】（省略）
【００４５】図８に示すように
各セル８４は、１又は複数のビデオオブジェクトユニット（ＶＯＢＵ）８５、通常は、複数のビデオオブジェクトユニット（ＶＯＢＵ）８５から構成される。ここで、ビデオオブジェクトユニット（ＶＯＢＵ）８５は、１つのナビゲーションパック（ＮＶパック）８６を先頭に有するパック列として定義される
【００４６】図８に示すように
ビデオオブジェクトユニットがビデオデータを含む場合には、ＭＰＥＧ規格に定められたビデオパック（Ｖパック）８８、副映像パック（ＳＰパック）９０及びオーディオパック（Ａパック）９１から構成されるＧＯＰが配列されてビデオデータストリームが構成されるが、このＧＯＰの数とは、無関係にＧＯＰの再生時間を基準にしてビデオオブジェクトユニット（ＶＯＢＵ）８３が定められ、その先頭には、常にナビゲーションパック（ＮＶパック）８６が配列される
　
（４）「【０１０９】図８を参照して説明したようにセル８４は、ビデオオブジェクトユニット（ＶＯＢＵ）８５の集合とされ、
ビデオオブジェクトユニット（ＶＯＢＵ）８５は、ナビゲーション（ＮＶ）パック８６から始まるパック列として定義される
このＮＶパック８６は、図４３に示すようにパックヘッダ１１０、システムヘッダ１１１、及びナビゲーションデータとしてのパケット、即ち、再生制御情報（ＰＣＩ）パケット１１６及びデータサーチ情報（ＤＳＩ）パケット１１７から成る構造を有し
【０１１０】ここで、ＧＯＰとは、ＭＰＥＧの規格で定められ、既に説明したように複数画面を構成するデータ列として定義される。即ち、ＧＯＰとは、圧縮されたデータに相当し、この圧縮データを伸張させると動画を再生することができる複数フレームの画像データが再生される。パックヘッダ１１０及びシステムヘッダ１１１は、ＭＰＥＧ２のシステムレーヤで定義され、パックヘッダ１１０には、パック開始コード、
システムクロックリファレンス（ＳＣＲ）
【０１１１】他のビデオ、オーディオ、副映像パック８８、８９、８０、９１は、図４４に示すようにＭＰＥＧ２のシステムレーヤに定められるように同様にパックヘッダ１２０、パケットヘッダ１２１及び対応するデータが格納されたパケット１２２から構成され、そのパック長は、２０４８バイトに定められている。これらの各パックは、論理ブロックの境界に一致されている。
【０１１２】
ＰＣＩパケット１１６のＰＣＩデータ（ＰＣＩ）１１３は、ＶＯＢユニット（ＶＯＢＵ）８５内のビデオデータの再生状態に同期してプレゼンテーション、即ち、表示の内容を変更する為のナビゲーションデータである。即ち、ＰＣＩデータ（ＰＣＩ）１１３には、図４５に示されるようにＰＣＩ全体の情報としてのＰＣＩ一般情報（ＰＣＩ＿ＧＩ）アングル変更時における各飛び先アングル情報としてのアングル情報（ＮＳＬＳ＿ＡＧＬＩ）及びハイライト情報（ＨＬＩ）が記述されている
【０１１４】（省略）
【０１１５】
ハイライト情報（ＨＬＩ）は、副映像の表示領域内の１つの矩形領域に対しハイライトを施すための情報である
【０１１６】ハイライト情報は、図５１に示すように、ハイライト一般情報（ＨＬ＿ＧＩ）１１３Ａ、ボタン色情報テーブル（ＢＴＮ＿ＣＯＬＩＴ）１１３Ｂ、及びボタン情報テーブル（ＢＴＮＩＴ）１１３Ｃが記述されている。図５２に示すように、ボタン色情報テーブル（ＢＴＮ＿ＣＯＬＩＴ）１１３Ｂには、ボタン色情報（ＢＴＮ＿ＣＯＬＩ）１１３Ｄ、１１３Ｅ、１１３Ｆが記述され、ボタン情報テーブル（ＢＴＮＩＴ）１１３Ｃには、最大３６個のボタン情報（ＢＴＮＩ）１１３Ｉ、…が記述される。
【０１１７】（省略）
【０１１８】ハイライト一般情報（ＨＬ＿ＧＩ）１１３Ａは、そのハイライト情報全体の情報である。
ハイライト一般情報（ＨＬ＿ＧＩ）１１３Ａには、図５３に示すように、ハイライト情報の状態（ＨＬＩ＿ＳＳ）、ハイライト開始時間（ＨＬＩ＿Ｓ＿ＰＴＭ）、ハイライト終了時間（ＨＬＩ＿Ｅ＿ＰＴＭ）
【０１１９】ハイライト情報の状態（ＨＬＩ＿ＳＳ）には、対応するＰＣＩ中のハイライト情報の状態が記述されている。たとえば、“００”の場合、有効なハイライト情報が存在しないと記述され、“０１”の場合、前ＶＯＢＵのハイライト情報と違うハイライト情報が存在していると記述され、“１０”の場合、前ＶＯＢＵのハイライト情報と同じハイライト情報が存在していると記述され、“１１”の場合、前ＶＯＢＵのハイライト情報とボタンコマンドだけが違うハイライト情報が存在していると記述される。
【０１２０】
ハイライト情報のスタートＰＴＭ（ＨＬＩ＿Ｓ＿ＰＴＭ）には、対応するハイライト情報が有効になるハイライト開始時間（スタートプレゼンテーションタイム（ＳＰＴＭ））が記述されている。ハイライト開始時間は、ハイライト情報が対象とする副映像ストリームの表示開始時間以上となっている
【０１２１】
ハイライト終了時間（ＨＬＩ＿Ｅ＿ＰＴＭ）には、このハイライト情報が無効になるハイライト終了時間が記述されている。ハイライト終了時間は、ハイライト情報が対象とする副映像ストリームの表示終了時間以下となっている
　
（５）「【０２６１】次に、図８６から図９１を参照して図６から図６６に示す論理フォーマットで映像データ及びこの映像データを再生するための光ディスク１０への記録方法及びその記録法法が適用される記録システムについて説明する。
【０２６２】図８６は、映像データをエンコーダしてあるタイトルセット８４の映像ファイル８８を生成するエンコーダシステムが示されている。図８６に示されるシステムにおいては、主映像データ、オーディオデータ及び副映像データのソースとして、例えば、ビデオテープレコーダ（ＶＴＲ）２０１、オーディオテープレコーダ（ＡＴＲ）２０２及び副映像再生器（Subpicture source）２０３が採用される。これらは、システムコントローラ（Sys con）２０５の制御下で
主映像データ、オーディオデータ及び副映像データを発生し、これらが夫々ビデオエンコーダ（ＶＥＮＣ）２０６、オーディオエンコーダ（ＡＥＮＣ）２０７及び副映像エンコーダ（ＳＰＥＮＣ）２０８に供給され、同様にシステムコントローラ（Syscon）２０５の制御下でこれらエンコーダ２０６、２０７、２０８でＡ／Ｄ変換されると共に夫々の圧縮方式でエンコードされ
【０２６３】
この主映像データ、オーディオデータ及び副映像データ（Comp Video,Comp Audio,Comp Sub-pict）は、システムコントローラ（Sys con）２０５によってファイルファーマッタ（ＦＦＭＴ）２１４に出力され、既に説明したようにこのシステムの映像データのファイル構造に変換されるとともに各データの設定条件、属性及びハイライト情報等の管理情報がファイルとしてシステムコントローラ（Sys con）２０５によってメモリ２１６に格納される
【０２６４】〜【０２６５】（省略）　
【０２６６】図８８に示すフローに従って、エンコードされた主映像データ、オーディオデータ及び副映像データ（Comp Video,Comp Audio,Comp Sub-pict）が組み合わされて図６を参照して説明したような映像データのタイトルセット構造に変換される。即ち、ステップＳ２７６に示すように映像データの最小単位としてのセルが設定され、セルに関するセル再生情報（Ｃ＿ＰＢＩ）が作成される。次に、ステップＳ２７７に示すようにプログラムチェーンを構成するセルの構成、主映像、副映像及びオーディオ属性等が設定され（これらの属性情報の一部は、各データエンコード時に得られた情報が利用される。）、図１２に示すようにプログラムチェーンに関する情報を含めたビデオタイトルセット情報管理テーブル情報（ＶＴＳＩ＿ＭＡＴ）９８及びビデオタイトルセット時間サーチマップテーブル（ＶＴＳ＿ＴＭＡＰＩ）１０１が作成される。この時必要に応じてビデオタイトルセットパートオブタイトルサーチポインタテーブル（ＶＴＳ＿ＰＴＴ＿ＳＲＰＴ）も作成される。
エンコードされた主映像データ、オーディオデータ及び副映像データ（Comp Video,Comp Audio,Comp Sub-pict）が一定のパックに細分化され、各データのタイムコード順に再生可能なように、ＶＯＢＵ単位毎にその先頭にＮＶパックを配置しながら各データセルが配置されて図６に示すような複数のセルで構成されるビデオオブジェクト（ＶＯＢ）が構成され
【０２６７】（省略）
【０２６８】図８９は、上述のようにフォーマットされたタイトルセットを光ディスクへ記録するためのディスクフォーマッタのシステムを示している。図８９に示すようにディスクフォーマッタシステムでは、作成されたタイトルセットが格納されたメモリ２２０、２２２からこれらファイルデータがボリュームフォーマッタ（ＶＦＭＴ）２２６に供給される。ボリュームフォーマッタ（ＶＦＭＴ）２２６では、タイトルセット８４、８６から管理情報が引き出されてビデオマネージャー７１が作成され、図６に示す配列順序で光ディスク１０に記録されるべき状態の論理データが作成される。ボリュームフォーマッタ（ＶＦＭＴ）２２６で作成された論理データにエラー訂正用のデータがディスクフォーマッタ（ＤＦＭＴ）２２８において付加され、ディスクへ記録する物理データに再変換される。変調器（Modulater）２３０において、ディスクフォーマッタ（ＤＦＭＴ）２２８で作成された物理データが実際にディスクへ記録する記録データに変換され、この変調処理された記録データが記録器（Recoder）２３２によってディスク１０に記録される。」
　　　
　上記摘示事項及び図面の記載を参酌すると、先願明細書等には、次の発明（以下「先願発明」という。）が記載されているものと認める。
　
「主映像データをエンコードする第１のエンコード手段と、副映像データをエンコードする第２のエンコード手段と、制御用データ（ナビゲーションデータ）を生成する生成手段と、上記第１のエンコード手段によりエンコードされた主映像データと上記第２のエンコード手段によりエンコードされた副映像データと上記生成手段により生成された制御用データを記録媒体（光ディスク）に記録する記録手段と、を具備する記録装置であって、
　ビデオオブジェクト（ＶＯＢ）は、１又は複数のセルから構成され、セルは、１又は複数のビデオオブジェクト（ＶＯＢＵ）から構成され、ビデオオブジェクト（ＶＯＢＵ）は、１つのナビゲーションパックを先頭に主映像データパック、副映像データパックから構成されるＧＯＰが配列されてビデオデータストリームが構成され、
　ナビゲーションパックは、再生制御情報（ＰＣＩ）パケットとデータサーチ情報パケットから成る構造を有し、ＰＣＩパケットのＰＣＩデータには、ハイライト情報が記述され、
　ハイライト情報は、ハイライト一般情報、ボタン色情報テーブル及びボタン情報テーブルが記述され、ハイライト一般情報には、ハイライト開始時間、ハイライト終了時間が記述され、対応するハイライト情報が有効になるハイライト開始時間は、ハイライト情報が対象とする副映像ストリームの表示開始時間以上となっており、ハイライト情報が無効になるハイライト終了時間は、ハイライト情報が対象とする副映像ストリームの表示終了時間以下となっている、
　記録装置。」
　
３．対比
　
　そこで、本願補正発明と先願発明とを対比する。
　
（１）先願発明における「記録装置」は、本願補正発明の「情報記録装置」と共通するものである。
（２）先願発明における「副映像データ」「再生制御情報（ＰＣＩ）」及び「ビデオオブジェクトユニット（ＶＯＢＵ）」は、それぞれ本願補正発明の「副映像情報」「再生制御情報」及び「データグループ」に相当する。
（３）先願発明において、「主映像データ」及び「副映像データ」は、「エンコード」（圧縮）処理されるから、先願発明は、本願補正発明の「副映像情報を含む記録情報を処理する信号処理手段」に相当する構成を備えている。
（４）先願発明における「ナビゲーションデータ」は、（記録情報に対応する）「再生制御情報」を含むものであるから、本願補正発明の「付加情報」に相当する。
（５）先願発明において、ビデオオブジェクトのセルは、「ビデオオブジェクトユニット」から構成され、ビデオオブジェクトユニットの「ナビゲーションパック」は、「再生制御情報パケット」を有し、該再生制御情報パケットの「ＰＣＩデータ」には、「ハイライト情報」が記述されているから、先願発明には、本願補正発明の「記録情報は複数のデータグループに区分され」、「複数のデータグループの各々は前記再生制御情報を含み」、「前記再生制御情報は、前記副映像情報をハイライト表示するためのハイライト情報を含み」に相当する構成を備えている。
（６）先願発明において、ハイライト情報が有効になるハイライト開始時間は、ハイライト情報が対象とする副映像ストリームの表示開始時間以上（以降）となっており、ハイライト情報が無効になるハイライト終了時間は、ハイライト情報が対象とする副映像ストリームの表示終了時間以下（以前）となっているから、先願発明には、本願発明の「ハイライト情報は、ハイライト表示の有効期間を規定する時刻管理情報であって、」「当該時刻管理情報は、ハイライト対象とする前記副映像情報の表示開始時間以降であるハイライト開始時間と、ハイライト対象とする前記副映像情報の表示終了時間以前であるハイライト終了時間」に相当する構成を備えている。
　
　そうすると、本願補正発明と先願発明とは、次の点で一致する。
　
＜一致点＞
「副映像情報を含む記録情報を処理する信号処理手段と、
　前記記録情報に対応する再生制御情報を含む付加情報を生成する付加情報生成手段と、
　前記記録情報及び前記付加情報を記録媒体に記録する記録手段と、を備え、
　前記記録情報は複数のデータグループに区分され、
　前記複数のデータグループの各々は前記再生制御情報を含み、
　前記再生制御情報は、前記副映像情報をハイライト表示するためのハイライト情報を含み、
　前記ハイライト情報は、前記ハイライト表示の有効期間を規定する時刻管理情報であって、当該時刻管理情報は、ハイライト対象とする前記副映像情報の表示開始時間以降であるハイライト開始時間と、ハイライト対象とする当該副映像情報の表示終了時間以前であるハイライト終了時間と、を含むことを特徴とする情報記録装置。」の点。
　
　そして、次の点で一応相違する。
　
＜一応の相違点＞　
　「時刻管理情報」について、本願補正発明は、「９０ＫＨｚを単位として指定可能な」時刻管理情報を含み（む）のに対し、先願発明は、そのような事項について明記がない点。
　
４．判断
　
　そこで、上記一応の相違点について検討する。
　
　先願発明において、前記摘記した先願明細書の段落【０１１０】を参照すると、パックヘッダには、システムクロックリファレンス（ＳＣＲ）が格納されていることが記載されている。
　また、圧縮動画像情報の記録再生技術の分野において、パックヘッダ中のＳＣＲを９０ＫＨｚのシステムクロックによって管理することは、普通に行われている時刻管理にすぎない（必要ならば、拒絶査定で引用された特開平６−３４３０６５号公報（【従来の技術】の記載）、特開平７−３８８５７号公報（【従来の技術】の記載）及び特開平７−１７０４９０号公報（【従来の技術】の記載）等を参照されたい。）。
　そうすると、先願発明においても、ハイライト表示の有効期間を規定する時刻管理情報を９０ＫＨｚを単位として指定するようなことは、単なる周知技術の付加にすぎないもので、これにより新たな作用効果を奏するものでもないから、本願発明は先願発明と実質的に同一である。
　
　よって、本願補正発明は、先願発明と実質的に同一であり、特許法第２９の２の規定により特許出願の際独立して特許を受けることができない。
　
５．本件補正についてのむすび
　
　以上のとおり、本件補正は、平成１８年改正前特許法第１７条の２第５項で準用する同法第１２６条第５項の規定に違反するものであるから、特許法第１５９条第１項の規定で読み替えて準用する特許法第５３条第１項の規定により却下されるべきものである。
　
第３　本願発明について
　
１．本願発明
　
　平成１７年９月５日付けの手続補正は上記のとおり却下されたので、本願の請求項１乃至５２に係る発明は平成１７年６月６日付け手続補正書の請求項１乃至５２に記載された事項により特定されるとおりのものである。そのうち、本願の請求項１０に係る発明（以下、同項記載の発明を「本願発明」という。）は、次のとおりである。なお、本件補正後の特許請求の範囲の請求項８は補正前の特許請求の範囲の請求項１０に対応する。
　
「【請求項１０】　副映像情報を含む記録情報を処理する信号処理手段と、
　前記記録情報に対応する再生制御情報を含む付加情報を生成する付加情報生成手段と、
　前記記録情報及び前記付加情報を記録媒体に記録する記録手段と、を備え、
　前記記録情報は複数のデータグループに区分され、
　前記複数のデータグループの各々は前記再生制御情報を含み、
　前記再生制御情報は、前記副映像情報をハイライト表示するためのハイライト情報を含み、
　前記ハイライト情報は、前記ハイライト表示の有効期間を規定する時刻管理情報であって、９０ＫＨｚを単位として指定可能な時刻管理情報を含むことを特徴とする情報記録装置。」
　
２．先願発明
　
　原査定の拒絶の理由に引用された、先願明細書等の記載事項は、上記「第２［理由］２．」に示したとおりである。
　
３．対比・判断
　
　本願発明は、上記「第２」で検討した本願補正発明から「時刻管理情報」について、「当該時刻管理情報は、ハイライト対象とする前記副映像情報の表示開始時間以降であるハイライト開始時間と、ハイライト対象とする当該副映像情報の表示終了時間以前であるハイライト終了時間と」の構成を省略したものである。
　そうすると、本願発明の構成要件を全て含み、さらに他の構成要件を付加したものに相当する本願補正発明が、上記「第２」に記載したとおり、先願発明と実質的に同一であるから、本願発明も、同様の理由により、先願発明と実質的に同一である。
　
４．むすび
　
　以上のとおり、本願の請求項１０に係る発明は、先願発明と実質的に同一であるから、特許法第２９条の２の規定により特許を受けることができない。
　したがって、本願は、その余の請求項について論及するまでもなく拒絶すべきものである。
　
　よって、結論のとおり審決する。